(57)【要約】【課題】本発明の目的は、シート構造およびコット構造間で交換可能な乳母車等の手押し車用の幼児支持体を提供することである。【解決手段】上部および下部整合フレーム、２枚のパネル、および１つのストレッチャーを備えた、シート構造とコット構造間で交換可能な手押し車用幼児支持体であって、第１のパネルは、下部フレームの一端にヒンジ接続され、ストレッチャーは、上部フレームの他端にヒンジ接続され、かつ第２のパネルは第１のパネルおよびストレッチャーにヒンジ接続され、シート構造では、上部および下部フレームが互いに上下の位置関係にあり、第１および第２のパネルがある角度にあり、かつ、ストレッチャーがフレームの面に平行であり、また、コット構造では、フレームが互いに空間を置いて離れており、第１および第２のパネルが下部フレームの面に平行であり、かつ、ストレッチャーが上部および下部フレーム間に延びることを特徴とする手押し車用幼児支持体。【選択図】図１
2006096341.tif 000002
【特許請求の範囲】
【請求項１】
上部および下部整合フレーム、２枚のパネル、および１つのストレッチャーを備えた、シート構造とコット構造間で交換可能な手押し車用幼児支持体であって、第１のパネルは、下部フレームの一端にヒンジ接続され、ストレッチャーは、上部フレームの他端にヒンジ接続され、かつ第２のパネルは第１のパネルおよびストレッチャーにヒンジ接続され、シート構造では、上部および下部フレームが互いに上下の位置関係にあり、第１および第２のパネルがある角度にあり、かつ、ストレッチャーがフレームの面に平行であり、また、コット構造では、フレームが互いに空間を置いて離れており、第１および第２のパネルが下部フレームの面に平行であり、かつ、ストレッチャーが上部および下部フレーム間に延びることを特徴とする、手押し車用幼児支持体。
【請求項２】
ストレッチャーが、１枚のパネルであることを特徴とする、請求項１に記載の幼児支持体。
【請求項３】
フレームの１つに摺動可能に連結され、かつ他のフレームに回転可能に連結されたロッド手段を有し、その結果、ロッドが前記の１つのフレームに沿って摺動するとき、２つのフレームが離れる様に動くことを特徴とする、請求項１または２に記載の幼児支持体。
【請求項４】
ロッド手段が、各側に１つづつ、計２つのロッドを有し、該ロッドは、その下部端で各ロッドに取付けられたバーにより連結され、かつ、ストラップを引いたとき、ロッドが下部フレームに沿って摺動する様に、バーに取りつけられたストラップを有することを特徴とする、請求項３に記載の幼児支持体。
【請求項５】
幼児支持体の各側に１つづつ、上部フレームおよび下部フレームに取付けられた２つの平行な運動手段があり、各平行運動手段は２つの長いバーを有し、各バーは回転可能にその一端で下部フレームおよび上部フレームにそれぞれ取付けられ、バーは互いに交差し合い、かつ交差する点で互いに回転可能に接続され、また各バーの他端は、短いバーに回転可能に接続され、上部フレームおよび下部フレームそれぞれに回転可能に接続されることを特徴とする、請求項１〜４のいずれか１項に記載の幼児支持体。
【請求項６】
実質的に本特許請求の範囲、明細書および図面に記載された幼児支持体。
【発明の詳細な説明】
【技術分野】
【０００１】
本発明は、乳母車等の手押し車、特にはツーインワン（2-in-1）シートおよびコット（cot）ユニットを有する手押し車に関する。
【背景技術】
【０００２】
乳母車等の手押し車には様々な異なったデザインのものがあるが、通常それらはフレーム上に支持されたシート（seat）またはコットを備えたフレームで構成されている。新生児は、乳母車等の手押し車に平らに寝かせられることが好ましい。したがって、新生児用乳母車等の手押し車は新生児を寝かせる平らなベッドを備えたコットまたはバシネット（bassinet）を有している。コットは、新生児が外に落下するのを防止するために直立の側面を有している。コットまたはバシネットを有する手押し車は、しばしばプラム（pram）と呼ばれる。子供が成長すると、子供は直立の位置に座らされるのが望ましい。したがって、手押し車にはシートが設けられ、このシートは、通常背もたれ（バックレスト）およびシートクッションを有し、これらが直立の位置で子供を支持する。しばしばシートの背もたれ部の傾斜を変えることができ、その結果、子供は手押し車の中で体を伸ばすことができる。手押し車には、コットや直立のシートを交換可能に受け入れる手段を有するものがある。これらは、旅行用システムバギーとして知られている。
【発明の開示】
【発明が解決しようとする課題】
【０００３】
本発明の目的は、シート構造およびコット構造間で交換可能な乳母車等の手押し車用の幼児支持体を提供することである。
【課題を解決するための手段】
【０００４】
本発明によれば、シート構造およびコット構造間で交換可能な幼児支持体が提供され、該幼児支持体は、
上部および下部整合フレーム、
２枚のパネル、および
１つのストレッチャー
を有し、第１のパネルは下部フレームの一端にヒンジ接続され、ストレッチャーは上部フレームの他端にヒンジ接続され、かつ第２のパネルは、第１のパネルとストレッチャーにヒンジ接続され、それにおいて、シート構造では、上部および下部フレームが互いに上下の位置関係にあり、第１および第２のパネルがある角度にあり、かつストレッチャーがフレームの面に平行であり、また、コット構造では、フレームが、互いに空間を置いて離れており、第１および第２のパネルが下部フレームの面に平行であり、かつ、ストレッチャーが上部および下部フレーム間に延びる、ことを特徴とする。
【０００５】
幼児支持体が、コットまたはシートとして使用されるとき、幼児の体重は第１および第２のパネル上に支持されるが、ストレッチャー上には支持されない。しかしながら、ストレッチャーは、パネルとして多くの機能を果たし、また好ましくは第１とおよび第２のパネルの様な１枚のパネルである。
【発明を実施するための最良の形態】
【０００６】
添付図面を参照して、本発明を具体化する幼児支持体に付いて以下に例を用いて具体的に説明する。図面中、
図１は、シート構造における幼児支持体の斜視図であり、
図２は、シートからコットに交換される幼児支持体の斜視図であり、
図３は、コット構造における幼児支持体の斜視図であり、
第４図は、シート構造における幼児支持体の模式的側面図であり、また、
第５図は、コット構造における幼児支持体の模式的側面図である。
【０００７】
図１は、シート構造における幼児支持体１０を示す。幼児支持体１０は、幼児用シートとして使用されるときは直立するが、図では平たく伸びた状態に示されている。幼児支持体１０は、３枚のパネル１１、１２、１３を有している。パネル１１は、ヒンジ１４を介してパネル１２に連結されており、またパネル１２は、ヒンジ１５を介してパネル１３に連結されている。パネル１３は、ある角度でパネル１２に取付けられており、その角度は０°〜１８０°で、好ましくはおよそ９０°〜１２０°である。この構造においては、３枚のパネル１１、１２、１３は、幼児用シートのパネルを形成し、１３は背もたれであり、１２はシートであり、また１１は足掛けである。パネル１１〜１３は、硬質の材料で作られ、その結果、それらは使用中もその形状を維持する。幼児支持体が、子供が座ったり横になったりするのに心地よい様に、パネルは詰物がされていても良い。
【０００８】
シートパネル１１〜１３は、上部矩形フレーム１７および下部矩形フレーム１６で構成される矩形支持フレーム内に支持される。各フレームは、同じ寸法でかつ一対の対向する側のバーを有し、短い対向する端のバーを介して接続されている。シート構造では、矩形フレームが互いに隣接して位置し、上部矩形フレーム１７のサイドバーおよびエンドバーは、下部矩形フレーム１６の対応する各バーの真上に位置している。
【０００９】
パネル１１の底部縁（即ち、シートが直立のときシートの底縁）は、ヒンジ４０を介して上部矩形フレーム１７の短辺の一つにヒンジ結合されている。パネル１３の上部辺（即ち、シートの最上部）は、ヒンジ４１を介して下部矩形フレーム１６の対向する短辺に連結されている。
【００１０】
図２および３に示される様に、シートをコットと交換するため、上部矩形フレーム１７が、下部矩形フレーム１６から離れて上方に動かされることが出来る。支持フレームの長辺の各々の上で、上部矩形フレーム１７は、クロスストラット２０、２１、２２を介して下部矩形フレーム１６と連結される（図２及び３参照）。
【００１１】
図２では、見る人に最も近い幼児支持体の面について述べるが、反対の面も、図に示される様に同一である。クロスバー２０は、その下部でスライド２４と連結されており、スライド２４は、下部矩形フレーム１６に取付けられており、スライド２４の軸は、下部矩形フレーム１６の長辺と平行に走行する。クロスバー２０は、ピボット２５の個所で上部矩形フレーム１７とヒンジ接続されている。２本のクロスバー２０は、それらの下端を接合する水平バー３０により連結されている。水平バー３０は、シートパネル１３の下側に位置し、図２に破線で示されている。
【００１２】
ストラップ２３がバー３０に取付けられ、かつ、パネル１１〜１３（図２に破線で示される様に）の下側を通っており、図に示される様にその端が右側で突き出ている。幼児支持体をシート構造からコット構造に変換するには、ストラップ２３を矢印２６の方向に引く。ストラップ２３を引くと、水平バー３０が矢印２６の方向に動いて、２本のクロスバー２０の下部端が、スライド２４に沿って動く。したがって、クロスバー２０の各々は、ピボット点２５で矢印２６の方向に回転し、次に上部矩形フレーム１７が、下部矩形フレーム１６から離れて上方に持上げられる。平行運動手段が、上部および下部矩形フレーム間に設けられ、垂直方向以外の如何なる方向の関連運動も防止する。平行運動手段は、図３に示される様に、クロスストラット２１Ａ、２１Ｂ、２２Ａ、２２Ｂにより提供される。
【００１３】
本実施例では、クロスバー２０は、幼児支持体の長辺の一端に位置するが、クロスバー２０は、もちろん幼児支持体の長辺に沿ったどの点に位置しても良い。例えば、クロスバー２０は、幼児支持体の各長辺に沿った中間点に位置しても良く、長辺の各々は、一対の平行運動手段を、一つは長辺の先端に、また一つは底部端に有する。
【００１４】
ストラップ２３が引かれる間、各クロスバー２０は、そのスライド２４に沿ってスライドの端に来るまで動く(図３に示される構造)。各スライド２４の長さは、各クロスバー２０の長さとほぼ等しくなければならず、その結果、ストラップ２３を引く間、各クロスバー２０の下部端がスライドの端に来た時、各クロスバー２０は、実質的に垂直になる。したがって、幼児支持体がコットとして使用されているとき（“コット構造”）、圧縮力が、実質的に垂直のクロスバー２０上に働き、クロバー２０は上部矩形フレーム１７を支持する様に作用する。
【００１５】
図２を参照すると、上部矩形フレーム１７が下部矩形フレーム１６から離れて動くとき、底部シートパネル１１（足掛け）は、矢印Ａの方向に、ヒンジ４０の回りを下方に回転する。トップパネル１３（背もたれ）は、矢印Ｂの方向に、ヒンジ４１の回りを上方に回転する。ヒンジ１４の各端に突出５０がみられ、これは、ヒンジ軸の方向にヒンジから離れて延びる。各突出５０は、スライド５１と係合する。各スライド５１は、下部矩形フレーム１６に取付けられ、フレームの長軸に平行に走行する。シート部が、シートからコットに、またその逆に変更される間、ヒンジ突出５０の各々は、スライド５１に沿って動く様に制限される。この様にして、パネル１１は、幼児支持体がシート構造にあるとき、フレームの平面と平行な定位置にロックされる。
【００１６】
図３を参照すると、コット構造においては、底部シートパネル１１は、ここではヒンジ４０から垂直に吊られている。パネル１１は、スライド５１中に突出５０が係合することにより、コット側の平面中の定位置にロックされる。シート／コットの長軸に沿ったパネル１１の長さは、各クロスバー２０の長さと等しく、その結果、平面１１は、コット構造中のコットの一端を十分に被覆する。パネル１１は、したがって、コット構造に強度を与える。
【００１７】
コット構造においては、パネル１２および１３は、同一平面上でかつコット用の水平で平らな基部を形成し、また、パネル１１は、コットの端部の壁を形成する。コットの他の３つの側壁を形成する様に、上下矩形フレーム１７および１６間に取付けられる構造があってもよい。この構造は、可撓性でなければならず、その結果、幼児支持体がシート構造にあるとき、折畳まれるか、またはコンサーティーナ（concertina）の様に折畳まれる。幼児は、パネル１２および１３上に体を伸ばして置かれることができる。
【００１８】
コットをシートに変更するためには、使用者は、下向きの圧力を、ヒンジ１５付近のシートパネル１２または１３にかける。パネル１３に下向きの圧力がかけられると、パネルはヒンジ４１で下方に回転する。パネル１１〜１３は端部同士互いにヒンジ接続されているため、パネル１３の動きは、パネル１１および１２をそれらの各ヒンジで回転させて、シート構造に戻らせる。コットからシートに変更するには、他の方法を用いても良い。
【００１９】
図４および５は、簡略化された線図形式でシートおよびコット構造をそれぞれ示す。図１〜３に用いられた符号は、図４および５でも、図１〜３と同じ要素を示す様に用いた。矢印Ｅ、ＦおよびＧは、シート構造からコット構造に変更する際に、パネル１３、１２および１１それぞれにより作られる動きを示す。
【００２０】
幼児支持体は、コット−シート変更中の動きを抑えるためのバネ制振機を含む。コット構造およびシート構造中の幼児支持体をロックするため、取り外し可能なロック手段を採用しても良い。
【００２１】
本発明の利点は、幼児支持体が、簡単な、引く動作によりシートからコットに変更できることである。本幼児支持体は、同様に、また一つのアクションでコットからシートに変更できる。
【図面の簡単な説明】
【００２２】
【図１】シート構造における幼児支持体の斜視図である。
【図２】シートからコットに変更される幼児支持体の斜視図である。
【図３】コット構造における幼児支持体にの斜視図である。
【図４】シート構造における幼児支持体の線図による模式的側面図である。
【図５】コット構造における幼児支持体の線図による模式的側面図である。
【符号の説明】
【００２３】
１０…幼児支持体
１１…シートパネル（足掛け）
１２…シートパネル（シート）
１３…シートパネル（背もたれ）
１４，１５…ヒンジ
１６…下部矩形フレーム
１７…上部矩形フレーム
２０，２１，２２…クロスバー（クロスストラット）
２１Ａ，２１Ｂ，２２Ａ，２２Ｂ…クロスストラット
２３…ストラップ
２４…スライド
２５…ピボット
２６…矢印
３０…水平バー
４０，４１…ヒンジ
５０…突出部
５１…スライド
Ｅ，Ｆ，Ｇ…矢印
【図１】
2006096341.tif 000003
【図２】
2006096341.tif 000004
【図３】
2006096341.tif 000005
【図４】
2006096341.tif 000006
【図５】
2006096341.tif 000007
【外国語明細書】
2006096341.tif 000008
2006096341.tif 000009
2006096341.tif 000010
2006096341.tif 000011
2006096341.tif 000012
2006096341.tif 000013
2006096341.tif 000014
2006096341.tif 000015
2006096341.tif 000016
【図１】
2006096341.tif 000017
【図２】
2006096341.tif 000018
【図３】
2006096341.tif 000019
【図４】
2006096341.tif 000020
【図５】
2006096341.tif 000021